(57)【要約】【課題】  複数の蛍光管を保持する蛍光管ホルダにおいて、ホルダ側の金属部と外部の金属性の本体ベースとの絶縁耐圧を向上できるようにする。【解決手段】  複数の電極保持部３７、第１の帯板３２、第２の帯板３３および突出片３５ａなどの金属部位は同じ金属板から形成されている。合成樹脂で形成された絶縁ベース２０の表面２１ａに電極保持部３７が突出するように設けられ、第１の帯板３２、第２の帯板３３および突出片３５ａなどの金属部位が絶縁ベース２０の裏面２１ｂに設けられている。絶縁ベース２０の裏面２１ｂを合成樹脂で形成された絶縁カバー２９で覆うことにより、内部の金属部位と外部の金属性の本体ベースとの間の絶縁耐圧を高めることが可能となる。【選択図】図７
2010192173.tif 000002
【特許請求の範囲】
【請求項１】
蛍光管の端部に設けられた電極部と電気的に接続される導電性のソケットが、複数個配列された蛍光管ホルダにおいて、
前記ソケットは、前記電極部を保持する電極保持部と前記電極保持部の基部に設けられた金属支持部とを有しており、絶縁材料で形成された絶縁ベースに前記金属支持部が固定されて、前記絶縁ベースの表側に前記電極保持部が支持され、前記絶縁ベースの裏面に前記金属支持部の少なくとも一部が現れており、
前記絶縁ベースの裏側に絶縁材料で形成された絶縁カバーが取り付けられ、この絶縁カバーで前記金属支持部が覆われていることを特徴とする蛍光管ホルダ。
【請求項２】
前記絶縁ベースの裏側に、それぞれのソケットに通電する配線部材が設けられており、この配線部材も前記絶縁カバーで覆われている請求項１記載の蛍光管ホルダ。
【請求項３】
前記絶縁ベースの長手方向に延びる両側の縁部のそれぞれに、裏側に突出するリブが形成され、前記絶縁カバーが両側のリブの間に嵌着されており、前記リブによって、前記金属支持部が側部に露出しないように覆われている請求項１記載の蛍光管ホルダ。
【請求項４】
前記絶縁ベースの長手方向に延びる両側の縁部のそれぞれに、裏側に突出するリブが形成され、前記絶縁カバーが両側のリブの間に嵌着されており、前記リブによって、前記配線部材が側部に露出しないように覆われている請求項２記載の蛍光管ホルダ。
【請求項５】
前記絶縁ベースの縁部と前記絶縁カバーの縁部とが、掛止爪と掛止凹部との凹凸嵌合で固定されている請求項１ないし４のいずれか１項に記載の蛍光管ホルダ。
【請求項６】
前記絶縁ベースの前記電極保持部が配置されている表面に、前記電極保持部に保持された蛍光管の電極部の端部に対向する絶縁壁が起立して形成されている請求項１ないし５のいずれか１項に記載の蛍光管ホルダ。
【発明の詳細な説明】
【技術分野】
【０００１】
本発明は、液晶表示装置用のバックライト装置などに使用される複数本の蛍光管の電極部を保持する蛍光管ホルダに関する。
【背景技術】
【０００２】
テレビジョンやパーソナルコンピュータのディスプレイに使用されている液晶表示装置は、透過型の液晶セルの背部にバックライト装置が設けられている。このバックライト装置は、互いに平行に配置された複数の蛍光管と、それぞれの蛍光管の両端部に形成された電極部を保持する蛍光管ホルダと、前記蛍光管ホルダを支持する本体ベースとで構成されている。
【０００３】
前記蛍光管ホルダは長尺形状であり、複数の蛍光管の両側に配置されて、長手方向が蛍光管と直交する向きに延びている。この蛍光管ホルダには、それぞれの蛍光管の電極部が嵌着される導電性のソケットが、長手方向に間隔を空けて配置されていると共に、それぞれのソケットに接続されている通電用の導電路が設けられている。
【０００４】
以下の特許文献１に記載されているように、従来の蛍光管ホルダは、長方形の板材で形成された基板の表面に、独立して形成された前記ソケットが、個別に固定されている。ソケットはプラスチック材料で形成されたハウジングに金属製の接点保持部が取り付けられているものであり、それぞれのハウジングの底部に設けられた凸部が前記基板に形成された取付け穴に嵌合されることで、基板上でソケットが位置決めされて固定されている。
【０００５】
また、それぞれのソケットへ通電するための導電路は、基板の表面に形成された導電性金属の薄膜で構成されている。
【先行技術文献】
【特許文献】
【０００６】
【特許文献１】特開２００６−３４４６０２号公報
【発明の概要】
【発明が解決しようとする課題】
【０００７】
従来の蛍光管ホルダは、接点保持部以外の配線用の金属部がハウジングの外面に露出された状態で構成されやすい。特に、ハウジングの下面側に接点保持部の一部や配線部材となる金属部が露出していると、露出する金属部とその下の金属シャーシとの間で絶縁耐圧が低下し、放電が発生するなどの問題がある。
【０００８】
本発明は上記従来の課題を解決するためのものであり、ハウジング内の金属部位と外部の金属シャーシとの間の絶縁耐圧を高めることが可能な蛍光管ホルダを提供することを目的としている。
【課題を解決するための手段】
【０００９】
本発明は、蛍光管の端部に設けられた電極部と電気的に接続される導電性のソケットが、複数個配列された蛍光管ホルダにおいて、
前記ソケットは、前記電極部を保持する電極保持部と前記電極保持部の基部に設けられた金属支持部とを有しており、絶縁材料で形成された絶縁ベースに前記金属支持部が固定されて、前記絶縁ベースの表側に前記電極保持部が支持され、前記絶縁ベースの裏面に前記金属支持部の少なくとも一部が現れており、
前記絶縁ベースの裏側に絶縁材料で形成された絶縁カバーが取り付けられ、この絶縁カバーで前記金属支持部が覆われていることを特徴とするものである。
【００１０】
また、本発明は、前記絶縁ベースの裏側に、それぞれのソケットに通電する配線部材が設けられており、この配線部材も前記絶縁カバーで覆われていることが好ましい。
【００１１】
本発明の蛍光管ホルダは、絶縁ベースの裏側に金属部が露出しないため、金属製の本体ベースの上に蛍光管ホルダを接近して配置しても、ホルダへの通電部の絶縁耐圧を高めることができる。
【００１２】
また、本発明は、前記絶縁ベースの長手方向に延びる両側の縁部のそれぞれに、裏側に突出するリブが形成され、前記絶縁カバーが両側のリブの間に嵌着されており、前記リブによって、前記金属支持部または前記配線部材が側部に露出しないように覆われていることが好ましい。
【００１３】
上記のように側方のリブによって金属部を覆うことで、蛍光管ホルダを金属製の本体ベースの側板に接近した位置に配置できるようになる。
【００１４】
また、本発明は、前記絶縁ベースの縁部と前記絶縁カバーの縁部とが、掛止爪と掛止凹部との凹凸嵌合で固定されていることが好ましい。
【００１５】
また本発明は、前記絶縁ベースの前記電極保持部が配置されている表面に、前記電極保持部に保持された蛍光管の電極部の端部に対向する絶縁壁が起立して形成されているものが好ましい。
【００１６】
前記絶縁壁が形成されていると、この絶縁壁が金属製の本体ベースの側板などに対向している場合に、蛍光管の電極部の端部と前記側板との間の絶縁耐圧を高めることができる。
【発明の効果】
【００１７】
本発明の蛍光管ホルダでは、電極保持部以外の金属部位がハウジングの外側に露出することがなくなるため、金属性の本体ベースと蛍光管ホルダ内の金属部との間の絶縁耐圧を高めることができる。このため、例えば蛍光管ホルダの金属部と金属製の本体ベースとの間での放電を未然に防止することができる。
【００１８】
また絶縁耐圧を高めることができるため、蛍光管ホルダを金属性の本体ベースに接近させた状態で実装することが可能となり、薄型のバックライト装置とすることができる。
【図面の簡単な説明】
【００１９】
【図１】バックライト装置を示す平面図である。
【図２】図１のバックライト装置をＩＩ−ＩＩ線で切断した断面を示す拡大断面図である。
【図３】バックライト装置に使用されている蛍光管ホルダを示す拡大斜視図である。
【図４】図３に示す蛍光管ホルダの絶縁ベース内に設けられている金属部を示す拡大斜視図である。
【図５】（Ａ）は図３に示す蛍光管ホルダをＶａ矢視方向から見た拡大側面図であり、（Ｂ）は図４に示す金属部をＶｂ矢視方向から見た拡大側面図である。
【図６】図３に示す蛍光管ホルダの分解斜視図である。
【図７】図３に示す蛍光管ホルダをＶＩＩ−ＶＩＩ線で切断して矢視方向から見た拡大断面図であり、（Ａ）は絶縁ベースに絶縁カバーを装着させた状態、（Ｂ）は絶縁ベースから絶縁カバーを分離させた状態を示している。
【発明を実施するための形態】
【００２０】
図２に示すように、バックライト装置１は液晶セル５の背面に配置される。液晶セル５はフルカラー表示が可能な透過型である。バックライト装置１から発せられる光によって、液晶セル５の映像を鮮明に目視することが可能になる。
【００２１】
図１と図２に示すように、バックライト装置１は金属製の本体ベース２を有している。本体ベース２は圧延鋼板などの鉄板を折り曲げて形成されている。本体ベースは浅い箱型であり、長方形の底板２ａと、底板２ａのそれぞれの長辺から直角に折り曲げられた長側板２ｂ，２ｃと、底板２ａのそれぞれの短辺から直角に折り曲げられた短側板２ｄ，２ｅを有している。
【００２２】
本体ベース２を構成している金属板は、表面がメッキされまたは表面が塗装されたものであるが、さらに底板２ａの蛍光管７０に向く内面２ｆが反射面として機能できるように処理されている。例えば、前記内面２ｆに、薄い白色シートが敷設され、または薄い金属シートが敷設され、または白色や金属色の塗装が施されている。
【００２３】
前記本体ベース２の底板２ａの内面２ｆには、一対の長尺形状の蛍光管ホルダ１０，１０が固定されている。一方の蛍光管ホルダ１０は、本体ベース２の短側板２ｄのすぐ内側において前記底板２ａに固定されており、他方の蛍光管ホルダ１０は、本体ベースの短側板２ｅのすぐ内側において前記底板２ａに固定されている。短側板２ｄの内側に配置されている蛍光管ホルダ１０と、短側板２ｄの内側に配置されている蛍光管ホルダ１０は、全く同じものであるが、その配置の向きが１８０度相違している。
【００２４】
蛍光管ホルダ１０は、図３に示す合成樹脂材料で形成された絶縁ベース２０に、図４に示す金属部３０が取り付けられている。前記金属部３０の一部によってソケット３１が形成されている。前記ソケット３１は、絶縁ベース２０の表面２１ａから上方へ露出しており、ソケット３１は、絶縁ベース２０の長手方向へ一定の間隔を空けて設けられている。
【００２５】
図１に示すように、本体ベース２の短側板２ｄの内側に設けられた蛍光管ホルダ１０と短側板２ｅの内側に設けられた蛍光管ホルダ１０は、それぞれソケット３１が左右の同じ位置に対向するように配置される。そして両側の蛍光管ホルダ１０，１０の間に蛍光管７０が保持される。蛍光管７０は、発光管本体７１とその両側に設けられた電極部７２，７２とを有している。両側の電極部７２，７２が、図１に示す右側の蛍光管ホルダ１０のソケット３１と左側の蛍光管ホルダ１０のソケット３１に嵌着されることで、図２に示すように、蛍光管７０は、本体ベース２の底板２ａの内面２ｆから少し離れた位置に配置される。
【００２６】
複数の蛍光管７０のそれぞれの電極部７２が、蛍光管ホルダ１０に設けられた全てのソケット３１に嵌着されており、図１に示す実施の形態では、本体ベース２内に、合計で１１本の蛍光管７０が取り付けられている。
【００２７】
図１と図３に示されている蛍光管７０は、ＥＥＦＬ型であり、点灯時の電圧を発生するコンデンサが電極部７２の内部に組み込まれており、蛍光管ホルダ１０にコンデンサを取り付ける必要はない。ただし、蛍光管にコンデンサが含まれておらず、ソケット上に実装されたコンデンサを介して電極部に通電されるものであってもよい。
【００２８】
図４に示すように、絶縁ベース２０内に設けられている金属部３０は、一枚の金属板を打ち抜き且つ折り曲げることで形成されている。金属部３０を構成している金属板は導電性であり且つ強度の高い圧延鋼板などの鉄板である。この鉄板の表面にメッキが施されたものが好ましく使用される。
【００２９】
図４に示すように、金属部３０には、蛍光管ホルダ１０の長手方向に向けて平行に延びる第１の帯板３２と第２の帯板３３とが設けられ、第１の帯板３２と第２の帯板３３は、その間に形成されたソケット３１を介して互いに連結されている。
【００３０】
前記ソケット３１には、第１の帯板３２と第２の帯板３３とを連結する連結板部３４が形成されている。図４に示すように、連結板部３４の中央部には、第１の帯板３２および第２の帯板３３と平行に延びる突出片３５ａが一体に形成されている。図５（Ｂ）に示すように、突出片３５ａに連続する折り返し部３５ｂは、前記突出片３５ａから裏側に向けて１８０度折り返されており、この折り返し部３５ｂに長方形状からなる支持板部３６が一体に形成されている。図７に示すように、それぞれの支持板部３６の中央には、上下に貫通する位置決め穴３６ａが形成されている。
【００３１】
図４に示すように、第１の帯板３２の内側には、前記連結板部３４の両側部から折り曲げられて互いに対向する電極保持片３７ａと電極保持片３７ｂとが設けられ、第２の帯板３３の内側には、前記連結板部３４の両側部から折り曲げられて互いに対向する電極保持片３７ｃと電極保持片３７ｄとが設けられている。電極保持片３７ａと電極保持片３７ｂおよび電極保持片３７ｃと電極保持片３７ｄとで、ソケット３１の電極保持部３７が形成されている。そして、前記支持板部３６は、この電極保持部３７の下側に敷かれている。この実施の形態では、前記連結板部３４または支持板部３６、あるいは連結板部３４と支持板部３６が、電極保持部３７を支持する金属支持部である。
【００３２】
前記支持板部３６および電極保持片３７ａ，３７ｂ，３７ｃ，３７ｄは、連結板部３４と一体であり、第１の帯板３２と第２の帯板３３との間から切り出される。そのため、第１の帯板３２と第２の帯板３３との間で且つ隣り合う電極保持部３７の間に、切欠き部３８が形成されている。
【００３３】
第１の帯板３２の端部には、コネクタ電極３９が設けられている。このコネクタ電極３９は、第１の帯板３２などを形成する金属板とは別の導電性の金属板で折り曲げ形成されており、前記第１の帯板３２の上面に溶接により固定されている。
【００３４】
図３に示すように、絶縁ベース２０は、前記本体ベース２の短側板２ｄまたは２ｅに対向する対向側縁部２０ａと、ソケット３１に保持された蛍光管７０が延出する延出側縁部２０ｂとを有している。
【００３５】
図３、図６および図７（Ｂ）に示すように、絶縁ベース２０の裏面２１ｂには、対向側縁部２０ａから下向きに凸状となるように一体に形成されたリブ２１ｃと、延出側縁部２０ｂから下向きに凸状となるように一体に形成されたリブ２１ｄが、共に長手方向に沿って互いに平行に延びて形成されている。対向側縁部２０ａから下に延びるリブ２１ｃには、長手方向に間隔を空けて掛止爪２１ｅが一体に形成され、リブ２１ｄには、長手方向に間隔を空けて掛止爪２１ｆが一体に形成されている。前記掛止爪２１ｅと掛止爪２１ｆは、絶縁ベース２０の中心側に向けられている。
【００３６】
絶縁ベース２０には、表面２１ａから裏面２１ｂに貫通する長方形の開口部２２が長手方向に間隔を空けて形成されている。
【００３７】
図７（Ａ）（Ｂ）に示すように、金属部３０は絶縁ベース２０の裏面２１ｂに装着される。ソケット３１を構成する各電極保持片３７ａ，３７ｂ，３７ｃ，３７ｄは絶縁ベース２０の裏面２１ｂ側から各開口部２２に挿通されて、それぞれの電極保持片３７ａ，３７ｂ，３７ｃ，３７ｄが、絶縁ベース２０の表面２１ａから上方へ突出させられる。このとき、右側の第１の帯板３２の縁部が、対向側縁部２０ａのリブ２１ｃの内面に当たり、左側の第２の帯板３３の縁部が、延出側縁部２０ｂのリブ２１ｄの内面に当たって、金属部３０が、リブ２１ｃとリブ２１ｄとで挟まれて位置決めされる。
【００３８】
図６に示すように、絶縁ベース２０の裏面２１ｂには絶縁カバー２９が取り付けられる。絶縁カバー２９は絶縁性の合成樹脂によって長尺形状に形成されており、絶縁ベース２０の裏面２１ｂに重ねられる。絶縁カバー２９の幅寸法は、リブ２１ｃとリブ２１ｄとの対向間隔にほぼ一致しており、絶縁カバー２９は、リブ２１ｃとリブ２１ｄとの間に挟まれて位置決めされる。
【００３９】
図６に示すように、絶縁カバー２９には長方形の第１の収容凹部２９ａが形成されており、第１の収容凹部２９ａは長手方向に間隔を空けて配置されている。それぞれの第１の収容凹部２９ａの一方の縁部には長手方向に突出する第２の収容凹部２９ｂが形成されている。またそれぞれの第１の収容凹部２９ａの中央には、上方に突出する位置決め凸部２９ｃが一体に形成されている。
【００４０】
第１の収容凹部２９ａと第２の収容凹部２９ｂおよび位置決め凸部２９ｃを除く部分では、絶縁カバー２９の表面２９Ａはその全域が同一平面となる平坦面である。
【００４１】
図７（Ｂ）に示すように、絶縁カバー２９の右側の縁部の下部に、長手方向に間隔を空けて掛止凹部２９ｄが形成され、左側の縁部の下部に、長手方向に間隔を空けて掛止凹部２９ｅが形成されている。右側の掛止凹部２９ｄは、絶縁ベース２０の掛止爪２１ｅと同じ位置に形成され、左側の掛止凹部２９ｅは、絶縁ベース２０の掛止爪２１ｆと同じ位置に形成されている。
【００４２】
絶縁ベース２０のリブ２１ｃとリブ２１ｄとの間に、絶縁カバー２９を装着すると、前記掛止爪２１ｅと掛止凹部２９ｄが嵌合し、掛止爪２１ｆと掛止凹部２９ｅが嵌合して絶縁ベース２０の裏面２１ｂに絶縁カバー２９が保持される。このとき、絶縁ベース２０の裏面２１ｂと絶縁カバー２９の表面２９Ａとの間に、第１の帯板３２と第２の帯板３３が挟まれて、上下に動くことなく保持される。
【００４３】
また、絶縁カバー２９の第１の収容凹部２９ａ内に金属部３０の支持板部３６が収容され、第２の収容凹部２９ｂ内に突出片３５ａ及び折り返し部３５ｂが収容される。絶縁カバー２９側の位置決め凸部２９ｃが、支持板部３６の位置決め穴３６ａ内に挿入される。これにより、絶縁カバー２９が絶縁ベース２０の第１の収容凹部２９ａ内に位置決めされる。
【００４４】
絶縁ベース２０の裏面２１ｂに絶縁カバー２９が装着されることで、絶縁ベース２０の裏面２１ｂに現れていた第１の帯板３２と第２の帯板３３、ソケット３１の支持板部３６、ならびに突出片３５ａと折り返し部３５ｂなどの各金属材料部が、絶縁材料製の絶縁カバー２９で覆い隠される。また、対向側縁部２０ａでは、第１の帯板３２の右縁がリブ２１ｃで覆われ、延出側縁部２０ｂでは、第２の帯板３３の左縁がリブ２１ｄで覆われている。したがって、絶縁ベース２０の下面と両側縁部には金属部が一切露出しない。
【００４５】
よって、金属部３０の絶縁耐圧を高めることが可能となる。よって、金属製の本体ベースとの間の放電などを未然に防止することができる。また絶縁カバー２９を設けることにより、絶縁ベース２０を本体ベース２に接近して配置することができ、従来よりも薄型で小型のバックライト装置を構成することができる。
【００４６】
図３に示すように、蛍光管７０の電極部７２は、電極保持片３７ａと電極保持片３７ｂとの間、ならびに電極保持片３７ｃと電極保持片３７ｄとの間に挟みこまれて装着される。
【００４７】
絶縁ベース２０の表面２１ａには、前記対向側縁部２０ａ側においてほぼ垂直に立ち上がる絶縁壁２３が一体に形成されている。図５（Ａ）にも示すように、複数の絶縁壁２３は、それぞれ、ソケット３１に対して延出側縁部２０ａの側から対向している。よって、ソケット３１の電極保持部３７に蛍光管７０の電極部７２が装着されると、電極部７２の端面７２ａが、絶縁壁２３に対向する。
【００４８】
図３に示すように、絶縁ベース２０の表面２１ａには、端部から上方へ隆起するコネクタ部２４が一体に形成されている。コネクタ部２４はコネクタハウジング２４ａと、コネクタハウジング２４ａ内に形成された差込み空間２４ｂとを有しており、前記差込み空間２４ｂの内部に、図４に示すコネクタ電極３９が現れている。
【００４９】
また、絶縁ベース２０には、表裏を貫通する複数の取付け穴２５が形成され、絶縁カバー２９にもこれに対応する取付け穴２９ｄが形成されている。
【００５０】
図１に示すように、前記蛍光管ホルダ１０は長尺形状で絶縁ベース２０が合成樹脂で形成されているが、その裏面２１ｂ側の両側（対向側縁部２０ａ側と延出側縁部２０ｂ側）に長手方向にわたって第１の帯板３２と第２の帯板３３がそれぞれ設けられているため、第１の帯板３２と第２の帯板３３とで長尺形状の絶縁ベース２０の強度を高めることができる。特に、第１の帯板３２と第２の帯板３３は、複数のソケット３１の側部を通過し、隣り合うソケット３１とソケット３１との間には、必ず金属製の帯板が形成されているため、作業中などに絶縁ベース２０が曲げ応力により損傷する確率をきわめて低くできる。しかも絶縁ベース２０の裏面に装着される合成樹脂製の絶縁カバー２９も補強板としても機能し得るため、さらに絶縁ベース２０の強度を高めることが可能である。
【００５１】
図１に示すように、蛍光管ホルダ１０は、本体ベース２の底板２ａの上に設置される。図６に示すように、底板２ａの表面側の複数の位置には位置決め凸部２ａ１がそれぞれ形成されている。各位置決め凸部２ａ１が、対応する取付け穴２９ｆ及び取付け穴２５に挿通されて位置決めされる。そして、長手方向の両端に設けられた取付け穴２９ｆ及び取付け穴２５に挿通された取付けねじ（図示せず）が前記底板２ａに螺着されて固定される。あるいは絶縁ベース２０の長手方向の両端に設けられたロック凹部２８が、本体ベース２側に設けられたロック凸部（図示せず）に係合することにより固定されるものであってもよい。
【００５２】
そして、電力供給用のプラグ（図示せず）がコネクタ部２４に装着されて、コネクタ電極３９に電力が供給される。コネクタ電極３９に与えられた電力は、第１の帯板３２および第２の帯板３３を介してそれぞれのソケット３１に与えられる。第１の帯板３２と第２の帯板３３が、それぞれの通電用の配線部材として機能する。図４に示す金属部３０を、コネクタ電極３９を除いて全て同じ金属板からプレス成形できるため、製造が容易である。なお、前記コネクタ電極３９を、第１の帯板３２または第２の帯板３３から一体に折り曲げ成形してもよい。
【００５３】
さらに、ソケット３１に装着される蛍光管７０の電極部７２の端面７２ａと金属製の短側板２ｄとの間に、合成樹脂製の絶縁壁２３が立ち上がっているため、電極部７２と本体ベース２との絶縁も十分に確保できる。また、前述のように、絶縁ベース２０の裏面２１ｂと対向側縁部２０ａと延出側縁部２０ｂに金属部３０が露出していないため、金属部３０と金属製の本体ベース２との絶縁距離を実質的に長く確保できる。
【００５４】
なお、前記実施の形態では、金属部３０の第１の帯板３２と第２の帯板３３と、複数のソケット３１とが一体に形成され、第１の帯板３２と第２の帯板３３とが絶縁ベース２０と絶縁カバー２９とで挟まれた構造である。
【００５５】
しかし、本発明は前記実施の形態に限られず、絶縁ベース２０の裏面が絶縁カバー２９で覆われていれば、絶縁ベース２０へのソケット３１などの取付け構造がどのようなものであってもよい。例えば、複数の金属製のソケット３１が個々に分離して形成されて、それぞれのソケット３１が電極保持部３７とその基部に一体に形成された金属支持部とで構成されている。または電極保持部３７とこれとは別体に形成されて前記電極保持部３７に固定された金属支持部とで構成されている。個々の金属支持部が絶縁ベース２０に形成されたスリットに差し込まれることで、または前記金属支持部が絶縁ベース２０の裏面に延びて半田付けや圧入手段で固定されることで、絶縁ベース２０にソケット３１が個別に固定されている。絶縁ベースには、ソケット３１とは別体の配線部材または配線層が設けられ、この配線部材または配線層を経て全てのソケット３１に通電される。
【００５６】
この場合も、絶縁ベース２０の裏面が絶縁カバー２９で覆われることで、ソケット３１の金属支持部や配線部材または配線層が裏面側に露出するのを防止できる。
【００５７】
また、絶縁カバー２９に掛止爪２１ｅ，２１ｆが形成され、絶縁ベース２０に掛止凹部２９ｄ，２９ｅが形成されて、掛止爪２１ｅ，２１ｆと掛止凹部２９ｄ，２９ｅが嵌着されてもよい。
【符号の説明】
【００５８】
１  バックライト装置
２  本体ベース
２ａ  底板
２ｄ，２ｅ  短側板
５  液晶セル
１０  蛍光管ホルダ
２０  絶縁ベース
２１ａ  表面
２１ｂ  裏面
２１ｃ，２１ｄ  リブ
２１ｅ，２１ｆ  掛止爪
２２  開口部
２３  絶縁壁
２４  コネクタ部
２９  絶縁カバー
２９Ａ  絶縁カバーの表面
２９ａ  第１の収容凹部
２９ｂ  第２の収容凹部
２９ｃ  位置決め凸部
２９ｄ，２９ｅ  掛止凹部
３０  金属部
３１  ソケット
３２  第１の帯板
３３  第２の帯板
３４  連結板部（金属支持部）
３５ａ  突出片
３５ｂ  折り返し部
３６  支持板部（金属支持部）
３７  電極保持部
３７ａ，３７ｂ，３７ｃ，３７ｄ  電極保持片
３９  コネクタ電極
７０  蛍光管
７２  電極部
【図１】
2010192173.tif 000003
【図２】
2010192173.tif 000004
【図３】
2010192173.tif 000005
【図４】
2010192173.tif 000006
【図５】
2010192173.tif 000007
【図６】
2010192173.tif 000008
【図７】
2010192173.tif 000009